(57)【要約】【課題】信頼性の高い無線通信装置を提供する。【解決手段】電波を入力するアンテナから入力された受信信号を、複数の異なる中間周波数に変換する第一ミクサ１２と第一内部信号発生器１３とを備える。また、この複数の異なる中間周波数に変換された受信信号を、それぞれの周波数に対応して弁別するチャネルフィルタ１４−１、１４−２を備える。さらに、複数の異なる中間周波数に変換された受信信号に対しての周波数差が同じとなるような複数の第二ミクサ１５−１、１５−２と、第二内部信号発生器１６−１、１６−２とを備える。この局部発振信号発生手段によりそれぞれの周波数に対応して弁別された信号を、同一周波数の第二の中間周波数に変換し受信する。【選択図】図２
2010183251.tif 000002
【特許請求の範囲】
【請求項１】
複数の送信局から送信される複数の異なる周波数成分の電波を受信可能なアンテナと、
入力された受信信号を、前記複数の異なる周波数成分に対応した中間周波数に変換する内部信号発生手段と、
複数の異なる中間周波数に変換された前記受信信号を、それぞれの周波数に対応して弁別する複数のバンドパスフィルタとを備え、
弁別されたそれぞれの前記受信信号を、ほぼ等しい周波数の第二の中間周波数に変換して復調する
ことを特徴とする無線通信装置。
【発明の詳細な説明】
【技術分野】
【０００１】
本発明は、無線通信装置に関し、特に１つのアンテナで異なる周波数帯の電波を同時に受信する無線通信装置に関する。
【背景技術】
【０００２】
基地局と移動局とを備えた無線通信システムにおいて、基地局−移動局間通信と移動局間の直接通信が可能な無線システムが知られている。
図６を参照して、このような従来の無線システムＹの基本構成を示す。
従来の無線システムＹは、無線通信端末局装置３１−１〜３１−ｎと、無線通信基地局装置３２と、無線通信基地局装置３２に接続された通信端末３６とから構成される。
無線通信端末局装置３１−１〜３１−ｎは、同様の構成をもつ無線通信の端末（移動局）の装置である。無線通信端末局装置３１−１〜３１−ｎは、無線通信基地局装置３２と、無線通信基地局装置３２に接続された通信端末との間で、音声通話等のデータの送受信を行う。この際に、電波による無線通信である無線通信アップリンク３３−１〜３３−ｎと、無線通信ダウンリンク３４−１〜３４−ｎによりデータの送受信を行う。
無線通信基地局装置３２は、複数の無線通信端末局装置３１−１〜３１−ｎとの間で音声通話等のデータを送受信し、また、受信したデータを無線通信基地局装置３２に接続された通信端末３６との間で送受信する。
通信端末３６は、無線通信基地局装置３２と接続された通信端末であり、主に有線で無線通信基地局装置３２と接続される。通信端末３６は、無線通信基地局装置３２を介して、各無線通信端末局装置３１−１〜３１−ｎとの間で音声通話等のデータの送受信を行うことができる。
【０００３】
通常、無線通信端末局装置３１−１〜３１−ｎ等の無線機は、複数の通信チャネルを備えており、ユーザがチャネルを設定することで、受信したい信号のみを受信することができる。
複数の無線通信端末局装置３１−１〜３１−ｎが同一のチャネルを設定することで、１対多数の無線通信を行うことも可能である。また、無線通信アップリンク３３−１〜３３−ｎと無線通信ダウンリンク３４−１〜３４−ｎとは、周波数の帯域が離れている。このため、無線通信アップリンク３３−１〜３３−ｎと無線通信ダウンリンク３４−１〜３４−ｎについて、いずれの無線チャネルを選択しても、アップリンクとダウンリンクの混線を防ぐことができる関係となる。
また、例えば、無線通信端末局装置３１−１と無線通信端末局装置３１−２とが、同一の無線周波数を用いて交互に送信受信を行うことで、移動局間直接通信３５のように無線端末同士が、直接、無線で通信を行うこともできる。
【０００４】
このような、従来の無線システムとして、特許文献１を参照すると、無線通信の受信機において、第１受信部及び第２受信部のそれぞれ異なる受信周波数について、制御部によりＰＬＬ方式の周波数シンセサイザを用いて制御し、２周波数を同時に受信できる二重通信システムが記載されている（以下、従来技術１とする。）。
従来技術１の受信機を用いて無線端末を構成すると、一台の受信機またはトランシーバで、任意の異なる周波数の同時受信を実現することができる。これにより、基地局と無線端末との間で、アップリンクとダウンリンクの混線を防いで全二重通信が可能になる。
【先行技術文献】
【特許文献】
【０００５】
【特許文献１】特開昭６３−３０９０３０号公報
【発明の概要】
【発明が解決しようとする課題】
【０００６】
しかしながら、従来技術１の受信機を無線端末とした場合でも、無線端末同士が移動局間直接通信を行っていた場合には、無線通信基地局からの無線信号を受信することができないという問題があった。
図６の例においては、無線通信端末局装置３１−１と無線通信端末局装置３１−２とが移動局間直接通信３５を行っていた場合は、無線通信基地局装置３２が無線通信端末局装置３１−１〜３１−ｎに一斉指令のような通信を行う意図で通信した場合、無線通信端末局装置３１−１と無線通信端末局装置３１−２とは無線通信基地局装置３２の信号を受信することはできなかった。
【０００７】
本発明は、このような状況に鑑みてなされたものであり、上述の課題を解消することを課題とする。
【課題を解決するための手段】
【０００８】
本発明の無線通信装置は、複数の送信局から送信される複数の異なる周波数成分の電波を受信可能なアンテナと、入力された受信信号を、前記複数の異なる周波数成分に対応した中間周波数に変換する内部信号発生手段と、複数の異なる中間周波数に変換された前記受信信号を、それぞれの周波数に対応して弁別する複数のバンドパスフィルタとを備え、弁別されたそれぞれの前記受信信号を、ほぼ等しい周波数の第二の中間周波数に変換して復調することを特徴とする。
【発明の効果】
【０００９】
本発明によれば、受信信号を複数の独立した受信処理回路で処理し、それぞれ独立した制御をすることにより、複数の無線通信基地局からの無線信号を同時に受信することがででき、また、弁別した受信信号を等しい周波数の第２の周波数に変換して復調することから、複数の受信回路間で同一の復調部を使用する無線通信装置を提供することができる。
【図面の簡単な説明】
【００１０】
【図１】本発明の実施の形態に係る無線システムＸのシステム構成の概念図である。
【図２】本発明の実施の形態に係る無線通信端末局装置２１−１の制御ブロック図である。
【図３】本発明の実施の形態に係る無線通信端末局装置２１−１の受信処理のフローチャートである。
【図４】本発明の実施の形態に係る受信信号が４波の場合の信号成分弁別処理の概念図である。
【図５】本発明の実施の形態に係る無線通信端末局装置２１−１の受信第一中間周波数変換処理〜受信第二中間周波数変換処理の概念図である。
【図６】従来の無線システムＹのシステム構成の概念図である。
【発明を実施するための形態】
【００１１】
＜実施の形態＞
〔無線システムＸのシステム構成〕
まず、図１を参照して、本発明の実施の形態に係る無線システムＸのシステム構成の例を示す。本発明の実施の形態に係る無線システムＸは、従来の無線システムＹと同様に、同様の構成を備える無線通信端末局装置２１−１〜２１−ｎ（移動局）と、無線通信基地局装置２２とから構成される。
【００１２】
ここで、無線通信端末局装置２１−１と、無線通信基地局装置２２とが無線通信している場合の例について説明する。無線通信端末局装置２１−１は、無線通信基地局装置２２にデータを送信するとき、無線周波数ｆ１（アップリンク）を用いて信号を送信する。
一方、無線通信端末局装置２１−１がデータを受信する場合、無線通信基地局装置２２から無線周波数ｆ２（ダウンリンク）を用いて送信された信号を受信する。この無線周波数ｆ２は、周波数帯が無線周波数ｆ１と比べて所定の値だけ異なっている。なお、上述した無線周波数ｆ１（アップリンク）とｆ２（ダウンリンク）は、チャンネル毎にペアとして設定されており、いずれのチャンネルを選択しても、無線周波数ｆ１とｆ２との差Δｆは一定となる。
このとき、例えば無線通信端末局装置２１−２から無線周波数ｆ１を用いて信号が送信されてきた場合、本発明の実施の形態に係る無線システムＸの無線通信端末局装置２１−１は、無線通信基地局装置２２から送られてくる無線通信ダウンリンク２４の受信信号と無線通信端末局装置２１−２から送られてくる移動局間直接通信２５の受信信号とを同時に受信できるという特徴を備えている。
以下、この無線通信端末局装置２１−１を、本発明の実施の形態に係る無線システムＸの無線端末の代表例として説明する。
【００１３】
〔無線通信端末局装置２１−１の制御構成〕
次に、図２を参照して、本発明の実施の形態に係る無線通信端末局装置２１−１の制御構成について説明する。
無線通信端末局装置２１−１は、主に、アンテナ１１と、第一ミクサ１２と、第一内部信号発生器１３（内部信号発生手段）と、受信処理回路１００−１〜１００−ｎと、出力統制機１８と、スピーカ１９−１〜１９−ｎと、ディスプレイ２０とから構成される。
また、それぞれの受信処理回路１００−１〜１００−ｎは、チャネルフィルタ１４−１〜１４−ｎ（バンドパスフィルタ）と、第二ミクサ１５−１〜１５−ｎと、第二内部信号発生器１６−１〜１６−ｎ（局部発振信号発生手段）と、復調器１７−１〜１７−ｎとを含んで構成される。
【００１４】
より詳細に説明すると、アンテナ１１は、無線信号を送受信するアンテナである。なお、この無線通信端末局装置２１−１の構成においては、無線信号の受信信号について主に説明する。
第一ミクサ１２は、第一内部信号発生器１３からの内部信号を用いて、受信信号から受信第一中間周波数に変換する周波数変換回路等である。
第一内部信号発生器１３は、ＰＬＬ（ＰＬＬ；  Ｐｈａｓｅ−ｌｏｃｋｅｄ  ｌｏｏｐ）シンセサイザ等を用いて、受信信号の受信周波数に応じた受信第一中間周波数を発生する回路等である。
受信処理回路１００−１〜１００−ｎは、受信第一中間周波数に変換された受信信号から、それぞれ処理するのに必要な受信信号のみを取りだして、受信と復号化を行い、データを取得する回路の機能部位である。
出力統制機１８は、それぞれの受信処理回路１００−１〜１００−ｎから出力されるデータの種別やユーザの設定により、適切な出力制御をするためのＤＳＰ（デジタル・シグナル・プロセッサ）やＣＰＵ（中央処理装置）やスイッチ等の機能部位である。
スピーカ１９−１〜１９−ｎは、出力統制機１８から出力されるデータに含まれる音声信号を音声として出力する部位である。スピーカ１９−１〜１９−ｎは、それぞれの音声データをＤ／Ａ（デジタル／アナログ）変換してアンプ等を用いてダイナミックスピーカやピエゾ素子スピーカ等から音声出力する。
ディスプレイ２０は、出力統制機１８から出力されるデータに含まれる画像データやコマンドのデータや受信エラーレート等を表字するＬＥＤ、ＬＣＤディスプレイ、有機ＥＬディスプレイ等である。
【００１５】
受信処理回路１００−１〜１００−ｎについて、より詳しく説明する。
チャネルフィルタ１４−１〜１４−ｎは、アナログのバンドパスフィルタや、ＦＦＴ（高速フーリエ変換）等の演算により実現するデジタルフィルタ等である。チャネルフィルタ１４−１〜１４−ｎは、受信第一中間周波数に変換された受信信号を、それぞれ必要な信号成分のみに弁別する。
第二ミクサ１５−１〜１５−ｎは、第二内部信号発生器１６−１〜１６−ｎからの内部信号を用いて、それぞれ必要な信号成分のみに弁別された受信第一中間周波数受信信号から、それぞれの第二内部信号に変換する周波数変換回路等である。
第二内部信号発生器１６−１〜１６−ｎは、ＰＬＬ（ＰＬＬ；  Ｐｈａｓｅ−ｌｏｃｋｅｄ  ｌｏｏｐ）シンセサイザ等を用いて、それぞれの第二内部信号に変換するための内部信号を発生する。それぞれの第二内部信号発生器１６−１〜１６−ｎにおいては、この発生する内部信号の周波数を、無線通信基地局装置２２から送信される無線周波数と、他の無線通信基地局装置１２−２〜１２−ｎから送られてくる無線周波数との周波数差と同じにする。
復調器１７−１〜１７−ｎは、それぞれの第二内部信号に変換された信号を復号して、無線信号のデータを取得する部位である。これらのデータとしては、音声通話の音声データや画像データやその他のデータ等のアナログデータ／デジタルデータを用いることができる。復調器１７−１〜１７−ｎからのデータは、同時に出力することができる。
【００１６】
なお、図２の例では、ひとつのアンテナ１１の信号線の入力に対し、２つの信号処理系となる受信処理回路１００−１と１００−２とを持つ無線端末を、無線通信端末局装置２１−１の最小の構成例として示している。
以下で、図３のフローチャートと、図４〜図５を参照して、無線通信端末局装置２１−１の受信処理について更に詳しく説明する。
【００１７】
〔無線通信端末局装置２１−１の受信処理〕
まず、ステップＳ１０１において、第一ミクサ１２と第一内部信号発生器１３は、受信第一中間周波数変換処理を行う。
ここでは、複数の無線周波数チャネルをもつ無線通信端末局装置２１−１は、周波数変換によって、この複数の無線周波数チャネルに対応した所定の中間周波数に変換する。
具体的に図２の例では、第一内部信号発生器１３が受信信号の無線周波数チャネルの周波数に応じて周波数を変えて第一ミクサ１２に出力することで、アンテナ１１からの受信信号を受信第一中間周波数に変換する。
その後、受信処理回路１００−１〜１００−ｎの各部位は、受信第一中間周波数に変換された受信信号を処理する。
【００１８】
次に、ステップＳ１０２において、チャネルフィルタ１４−１〜１４−ｎは、信号成分弁別処理を行う。
図２の例を参照すると、中間周波数に変換された受信信号は、チャネルフィルタ１４−１又は１４−２により必要な信号成分のみに弁別される。
図２の例では、無線通信基地局装置２２からの受信信号のみ通過するチャネルフィルタの一つを、チャネルフィルタ１４−１とする。また、他の無線通信端末局装置２１−２〜２１−ｎからの受信信号が通過するようなもう一つのチャネルフィルタを、チャネルフィルタ１４−２とする。
このように、周波数変換によって得られた受信信号を分岐させ、必要な信号成分のみに弁別するチャネルフィルタを用いることで、それぞれの受信処理回路１００−１〜１００−ｎにおいて、受信したい信号のみ取り出すことが可能となる。
【００１９】
図２を参照してより詳しく説明すると、本発明の実施の形態に係る無線通信端末局装置２１−１は、受信周波数（ユーザにより設定されたチャンネル）に応じて発振周波数を変える第一内部信号発生器１３により、無線周波数ｆ１（アップリンク）を受信した場合には、常に第一内部信号の周波数ｆ１’の無線周波数成分がチャネルフィルタ１４−１を通過するように制御することができる。なお、第一内部信号発生器１３は、図示しない制御部により、設定チャンネルに応じた制御電圧を供給されることにより、発振周波数が変更される。
また、周波数ｆ１’の無線周波数成分がチャネルフィルタ１４−１を通過するように制御することで、無線周波数ｆ１とΔｆだけ離れた無線周波数ｆ２（ダウンリンク）を受信した場合には、第一内部信号の周波数ｆ２’は周波数ｆ１’より所定の周波数（Δｆ）だけ離れる。このため、周波数ｆ２’による信号成分は、常にチャネルフィルタ１４−２を通過するように制御することができる。
これにより、本発明の実施の形態に係る無線通信端末局装置２１−１は、無線通信基地局装置２２と、他の無線通信端末局装置２１−２〜２１−ｎとの無線信号を同時に受信可能となる。
【００２０】
ここで、図４を参照して、無線周波数チャネルに受信信号が４波あった場合の例について説明する。すなわち、図４では、受信処理回路１００−１〜１００−４が存在し、周波数変換によって得られた受信信号をチャネルフィルタ１４−１〜１４−４で分離する例について説明する。
信号周波数成分４０１はアンテナから入力された受信信号を第一ミクサ１２により周波数変換した後の受信信号の周波数を模式的に示した信号周波数成分であり、チャネルフィルタ１４−１〜１４−４に入力される受信信号の周波数成分を示している。すなわち、受信周波数４０２、４０３、４０４、４０５で示される受信入力信号は、受信信号から周波数変換によって得られた第一中間周波数である周波数ｆ１’、ｆ２’、ｆ３’、ｆ４’にそれぞれ対応している。
図４の例では、第一ミクサ１２と第一内部信号発生器１３が、チャネルフィルタ１４−１〜１４−４で、それぞれ分離できるように、第一中間周波数を調整する。そして、これらの第一中間周波数は、各信号成分のみを通過するチャネルフィルタ１４−１〜１４−４で必要な信号のみが取り出されて弁別される。
信号周波数成分４１４は、チャネルフィルタ１４−１によって弁別された信号の一部である周波数帯の第一ブランチである。すなわち、この第一ブランチでは、受信第一中間周波数成分４１０である周波数ｆ１’に係る受信信号が取り出される。
同様にして、信号周波数成分４１５はチャネルフィルタ１４−２により弁別された第二ブランチであり、受信第一中間周波数成分４１１である周波数ｆ２’に係る受信信号が取り出される。また、信号周波数成分４１６はチャネルフィルタ１４−３により弁別された第三ブランチであり、受信第一中間周波数成分４１２である周波数ｆ３’に係る受信信号が取り出される。また、信号周波数成分４１７はチャネルフィルタ１４−４により弁別された第四ブランチであり、受信第一中間周波数成分４１３である周波数ｆ４’に係る受信信号が取り出される。
このようにして、図４の例では、各受信処理回路１００−１〜１００−４である受信信号系に必要な受信信号のみを取り出すことができる。
【００２１】
なお、本発明の実施の形態に係る無線通信端末局装置２１−１においては、受信信号の周波数が低いほうから、若い番号の受信ブランチに順序よく受信信号が割り振られるようにする。このため、どの無線通信端末局装置２１−１〜２１−ｎや無線通信基地局装置２２のような送信局から送られてきた信号であるかを容易に判断することができる。これは、音声や画像等のデータとして復調された信号においても同様に判断可能である。
なお、上述の周波数変換においては、取り出される信号成分として周波数帯を用いるように説明したが、これに限られない。たとえば、公知のデジタル無線に用いられる電波の位相情報や偏波の向きや時間差情報といった無線チャネルを分離可能な信号について、すべて信号成分として利用可能である。
【００２２】
次に、ステップＳ１０３において、第二ミクサ１５−１〜１５−ｎ及び第二内部信号発生器１６−１〜１６−ｎは、受信第二中間周波数変換処理を行う。
図２を再び参照して説明すると、上述の例のようにして得られた無線通信基地局装置２２からの受信信号のみ通過するチャネルフィルタ１４−１によって得られた受信信号と、無線通信端末局装置２１−２からの受信信号が通過するようなチャネルフィルタ１４−２によって得られた周波数の受信信号は、以降の回路でも独立かつ同時に信号処理される。
このステップＳ１０３において、それぞれの周波数の受信信号は、再度、周波数変換される。この周波数変換は、図２のように受信処理回路１００−１と１００−２がある構成例においては、第二ミクサ１５−１又は１５−２と、第二内部信号発生器１６−１又は１６−２とで構成される機能ブロックにより実現する。
図２の例では、第二内部信号発生器１６−１と１６−２との周波数差を、無線通信端末局装置２１−２から送られてくる無線周波数ｆ１と無線通信基地局装置２２から送信される無線周波数ｆ２の周波数差と同じにする。すなわち、第二内部信号発生器１６−１と１６−２との周波数差は、各受信信号に係る周波数差と同じにする。
これにより、独立したそれぞれの受信処理回路１００−１と１００−２の受信処理系で用いる、それぞれ異なるデータを備えた受信信号の周波数を、後述するように最終的に同じ周波数に周波数変換することができる。
よって、以降の受信処理系は、同一の信号周波数を処理できればよく、それぞれの信号処理系について同じ回路等を複数個用意することでコストを抑えて信号処理を行いデータを得ることができる。
【００２３】
ここで、図５の概念図を参照して、本発明の実施の形態に係る無線通信端末局装置２１−１における受信第一中間周波数変換処理と受信第二中間周波数変換処理との関係について、さらに詳しく説明する。
まず、アンテナ１１から入力された受信信号は第一ミクサ１２によって周波数変換され第一中間周波数信号５０１となる。この際に、受信第一中間周波数変換処理により、無線周波数ｆ１の受信信号は受信第一中間周波数５０４である周波数ｆ１’へ、無線周波数ｆ２の受信信号は受信第一中間周波数である周波数ｆ２’に変換する。
この信号を分配し、各チャネルフィルタ１４−１と１４−２にて必要な周波数成分のみ弁別して取り出す。これにより、受信第一中間周波数ブランチ５０５では周波数ｆ１’の信号、受信第一中間周波数ブランチ５０７では周波数ｆ２’の信号を取りだすことができる。
これらの信号を、第二ミクサ１５−１又は１５−２にて再度周波数変換する受信第二中間周波数変換処理を行う。この際、第二内部信号発生部１６−２の周波数は、周波数ｆ１’と周波数ｆ２’の差分だけ、第二内部信号発生部１６−１より周波数が高く設定されている。このため、受信第二中間周波数ブランチ５０９で得られる受信第二中間周波数信号５０８（周波数ｆ１’’）と、受信第二中間周波数ブランチ５１１で得られる受信第二中間周波数信号５１０（周波数ｆ２’’）の信号周波数帯は、ほぼ同じとなる。
従って、その後の復調器１７−１と１７−２は同じものを２個またはそれ以上用意すればよい。これにより、回路のコストや調整コストを削減することが可能になる。
【００２４】
次に、ステップＳ１０４において、出力統制機１８は出力制御処理を行う。
図２の例を再び参照して説明すると、上述のようにしてそれぞれ信号処理された無線信号は、無線信号を音声や画像等のデータに変換するための復調器１７−１又は１７−２によってデータに変換される。この上で、出力統制機１８によって適切に振り分けられ、スピーカ１９−１又は１９−２やディスプレイ２０に出力されるものである。
出力統制機１８は、同時出力される情報の種別やユーザの設定によって、適切な出力制御をすることができる。
たとえば、同時出力される情報が音声信号の場合でスピーカ等により空間に音声出力されるものであった場合、同じボリュームで出力されると人間の耳には同時に音声を聞き取ることができないため都合が悪いという問題がある。この場合には、予め優先順位をユーザが図示しないフラッシュメモリ等の記憶部に設定しておくことができる。ここで、同時に音声が出力された場合には、出力統制機１８は優先する送信局からの受信信号を設定された音声ボリュームに変更し、優先順位の低い送信局からの音声を自動的に低減させることができる。これにより、重要な情報を聞き漏らす可能性を減らすことができ、無線システムＸの使い勝手を高めることができる。
また、受信している信号が音声とそれ以外のデータであった場合は、出力統制機１８は、音声はスピーカより、データは各自データの種別により適正な出力機器に振り分けられる。たとえば画像データは、ディスプレイ２０に出力することができる。また、デジタルデータのファイルなどは、図示しないＨＤＤやフラッシュメモリカードなどに記憶することができる。すなわち、無線通信基地局装置間と無線通信端末局装置間でデータ通信を続けたまま、無線通信端末局装置間で音声による無線通信が可能となる。
以上により、無線通信端末局装置２１−１の受信処理を終了する。
【００２５】
以上のように構成することで、以下のような効果を得ることができる。
従来技術１の受信機を無線端末として用いた場合には、無線端末同士が移動局間直接通信を行っていた場合には、無線通信基地局からの無線信号を受信することができないという問題があった。
【００２６】
これに対して、本発明の実施の形態に係る無線システムＸにおいては、１つのアンテナを用いて、２つ以上の異なる送信局から送出された信号を同時に受信する事ができる。すなわち、本発明ではアンテナ供給線の数を増やさず、受信信号を受信機内部で複数の独立した受信処理回路１００−１〜１００−ｎで処理し、それぞれ独立した制御をすることにより、２つ以上の無線通信信号を同時に受信することができる。
具体的には、本発明の実施の形態に係る無線システムＸにおいては、１つのアンテナ受信入力信号を複数の異なる中間周波数に変換された信号とし、それぞれに対応した周波数の異なるチャネルフィルタ１４−１〜１４−ｎで所望の信号周波数成分に弁別する。この弁別した受信信号を復調することで得られた音声や画像等のデータに対し、それぞれ独立した処理を行うことで、同時に複数の異なる情報を受信する事ができる。
これにより、無線通信端末局装置２１−１〜２１−ｎ間で各自に通信を行っている場合でも、無線通信基地局装置２２からの無線信号を受信可能である。
すなわち、例えば無線通信基地局装置２２からの一斉命令通信といった目的の情報送信が行われ場合、無線通信端末局装置２１−１〜２１−ｎ間で通話中の無線通信端末局装置２１−１〜２１−ｎにおいても、無線通信基地局装置２２からの送信情報を聞き逃すことがない。
【００２７】
また、本発明の実施の形態に係る無線システムＸにおいては、復調された複数の信号に複数の音声信号が含まれていた場合に、どの無線通信端末局装置２１−１〜２１−ｎや無線通信基地局装置２２等の送信局から送信された信号かを識別して、識別された受信信号を選択的にスピーカ１９−１〜１９−ｎから音声出力することができる。
また、少なくとも複数の送信局からの受信信号を出力することが選択された場合で、同時に複数の音声信号がスピーカより出力されている場合、より優先して聞きたい音声信号について、ユーザにより優先順位を設定することができる。これにより、優先順位を高く設定している音声信号を受信している間、優先順位の低く設定している音声信号については設定した音量に自動的に低減することで、同時に受信信号が再生された場合でも音声の競合を回避し、より信頼性の高い通信を実現することができる。
このように、優先すべき情報を割り込ませ、無線通信できるような仕組みを提供することができる。
【００２８】
また、本発明の実施の形態に係る無線通信端末局装置２１−１〜２１−ｎにおいては、アンテナ受信入力信号に対し、複数の異なる中間周波数に変換された信号に変換するための第一ミクサ１２及び第一内部信号発生器１３と、復調によって得られる音声信号またはデータを処理する受信処理回路１００−１〜１００−ｎの回路を備えている。
これらの回路により、それぞれの受信回路ごとに同時且つ独立して、信号処理することができる。よって、複数の送信局からの信号を受信する無線通信装置を提供することができる。
【００２９】
また、本発明の実施の形態に係る無線通信端末局装置２１−１〜２１−ｎにおいては、複数の異なる中間周波数に変換された信号を、それぞれの信号周波数に対応したバンドパスフィルタで弁別し、それぞれの中間周波数の差と周波数差が同じとなるような局部発振信号を無線機内部に複数備えている。
このため、複数の異なる中間周波数に変換された信号を、同一周波数にした第二の中間周波数に変換し受信する無線通信装置を提供することができる。
【００３０】
また、本発明の実施の形態に係る無線通信端末局装置２１−１〜２１−ｎにおいては、複数の受信信号からの複数の音声信号をスピーカ等より出力する場合、ユーザの設定等により、無線通信端末局装置２１−１〜２１−ｎ又は無線通信基地局装置２２に優先順位を設定できる。
これにより、優先順位を高く設定している音声信号を受信している間は、優先頂位を低く設定している音声信号の設定音量を自動的に低減する無線通信装置を提供することができる。
【００３１】
また、本発明の実施の形態に係る無線通信装置制御方法においては、アンテナ受信入力信号に対し、複数の中間周波数に変換された信号と、復調によって得られる音声や画像等のデータを処理する受信処理回路から得られたと信号を、それぞれの受信回路ごとに同時で独立に信号処理することができる。
これにより、複数の送信局からの信号を受信する無線通信装置制御方法を提供することができる。
【００３２】
また、本発明の実施の形態に係る無線通信装置制御方法においては、復調された複数の信号のうち複数の信号が音声信号であった場合、どの送信局からの送信信号かを識別して、任意の送信局からの受信信号を選択的にスピーカより音声出力を選択できる。
【００３３】
なお、上記実施の形態の構成及び動作は例であって、本発明の趣旨を逸脱しない範囲で適宜変更して実行することができることは言うまでもない。
【符号の説明】
【００３４】
１１  アンテナ
１２  第一ミクサ
１３  第一内部信号発生器
１４−１〜１４−ｎ  チャネルフィルタ
１５−１〜１５−ｎ  第二ミクサ
１６−１〜１６−ｎ  第二内部信号発生器
１７−１〜１７−ｎ  復調器
１８  出力統制機
１９−１〜１９−ｎ  スピーカ
２０  ディスプレイ
２１−１〜２１−ｎ、３１−１〜３１−ｎ  無線通信端末局装置
２２、３２  無線通信基地局装置
２３、３３−１〜３３−ｎ  無線通信アップリンク
２４、３４−１〜３４−ｎ  無線通信ダウンリンク
２５、３５  移動局間直接通信
３６  通信端末
１００−１〜１００−ｎ  受信処理回路
４０１、４１４、４１５、４１６、４１７  信号周波数成分
４０２、４０３、４０４、４０５、５０２、５０３  受信周波数
４１０、４１１、４１２、４１３、５０４、５０６  受信第一中間周波数成分
５０８、５１０  受信第二中間周波数成分
５０１  第一中間周波数信号
５０５、５０７  受信第一中間周波数ブランチ
５０９、５１１  受信第二中間周波数ブランチ
Ｘ、Ｙ  無線システム
【図１】
2010183251.tif 000003
【図２】
2010183251.tif 000004
【図３】
2010183251.tif 000005
【図４】
2010183251.tif 000006
【図５】
2010183251.tif 000007
【図６】
2010183251.tif 000008